(57)【要約】【課題】  ＲＦＩＤタグの読み取り作業のハンドリングを損なわず、作業効率を向上する。【解決手段】  前後左右の側面のうち前面を除く三方が、ＲＦＩＤ読取装置本体５と第１側板と第２側板からなるシールド６により構成され、前方と載置台の上方の面が開口部である。当該装置の利用者は、作業のしやすい方向から流通物３を順次載置することが出来き、また、流通物３の取り出しも容易である。【選択図】  図１
2008084058.tif 000002
【特許請求の範囲】
【請求項１】
識別情報を記憶したＲＦＩＤタグが設けられた流通物を載置する載置台と、
アンテナを備えた面が前記載置台に垂直に取付けられ、前記アンテナを介して前記流通物のＲＦＩＤタグとの間で電波の送受信し、前記流通物のＲＦＩＤタグから識別情報を無線方式で読取るＲＦＩＤ読取装置本体と、
前記載置台に取付けられ、前記アンテナを備えた面と対向する第１の側板と前記第１の側板から直交して前記ＲＦＩＤ読取装置本体の端部まで延びる第２の側板とを有するＬ字状の電波を遮蔽するシールド部材とを備え、
前記載置台、前記ＲＦＩＤ読取装置本体および前記シールド部材により、上下、左右、および前後の六面のうち、上方、および前方の面が開放された前記流通物の載置領域を構成していることを特徴とするＲＦＩＤ読取装置。
【請求項２】
前記載置台は、更に前記ＲＦＩＤ読取装置本体の下端部を着脱自在に嵌合するための第１の溝を備えることを特徴とする請求項１に記載のＲＦＩＤ読取装置。
【請求項３】
前記載置台は、更に前記シールド部材を着脱自在に嵌合するための第２の溝を備えることを特徴とする請求項１または請求項２に記載のＲＦＩＤ読取装置。
【請求項４】
更に、前記第２の溝内に設けられ、前記シールド部材が前記第２の溝に嵌合されているか否かを検知するシールド検知手段と、
前記シールド検知手段の検知結果を前記ＲＦＩＤ読取装置本体に伝える伝達手段と、
前記伝達手段からの前記シールド検知手段の検知結果に基づいて前記アンテナの電波出力を調整する制御手段と、
を備えることを特徴とする請求項３に記載のＲＦＩＤ読取装置。
【請求項５】
前記伝達手段は、
前記ＲＦＩＤ読取装置本体の下端部に設けられた接続端子と、
前記第１の溝内に設けられ、前記接続端子と係合するコネクタと、
を備えることを特徴とする請求項４に記載のＲＦＩＤ読取装置。
【請求項６】
前記第１側板は、前記載置台の側面に取付けられていることを特徴とする請求項１または請求項２に記載のＲＦＩＤ読取装置。
【請求項７】
更に、前記第１側板を前記第２側板に回動可能に取付ける回動式留め具と、
前記第１側板を前記載置台の側面に着脱自在にとめる留め具と、
を備えることを特徴とする請求項６に記載のＲＦＩＤ読取装置。
【請求項８】
更に、前記載置台の側面に設けられ、前記第１側板と前記載置台の側面との着脱状態を検知するシールド検知手段と、
前記シールド検知手段の検知結果を前記ＲＦＩＤ読取装置本体に伝える伝達手段と、
前記伝達手段からの前記シールド検知手段の検知結果に基づいて前記アンテナの電波出力を調整する制御手段と、
を備えることを特徴とする請求項７に記載のＲＦＩＤ読取装置。
【請求項９】
前記伝達手段は、前記ＲＦＩＤ読取装置本体の下端部に設けられた接続端子と、
前記第１の溝内に設けられ、前記接続端子と係合するコネクタと、
を備えることを特徴とする請求項８に記載のＲＦＩＤ読取装置。
【請求項１０】
更に、前記載置台の載置面に積載される流通物を取りやすくするための取り出し補助手段を備えることを特徴とする請求項１乃至請求項９に記載のＲＦＩＤ読取装置。
【請求項１１】
更に、前記ＲＦＩＤ読取装置本体に前記ＲＦＩＤタグの読取開始を指示する指示手段を備えることを特徴とする請求項１乃至請求項１０に記載のＲＦＩＤ読取装置。
【請求項１２】
載置台にＲＦＩＤ読取装置本体のアンテナを備えた面と対向するように着脱自在に取付けられるシールド部材の着脱状態を検出し、その検出結果によって前記アンテナの電波出力を調整することを特徴とするＲＦＩＤ読取装置の電波出力制御方法。
【発明の詳細な説明】
【技術分野】
【０００１】
本発明は、ＲＦＩＤ読取装置およびＲＦＩＤ読取装置の電波出力制御方法に関する。
【背景技術】
【０００２】
近年、ＲＦＩＤ（Ｒａｄｉｏ  Ｆｒｅｑｕｅｎｃｙ  Ｉｄｅｎｔｉｆｉｃａｔｉｏｎ）タグに識別情報を記憶し、その識別情報を電波や電磁波を用いた無線方式で読取りを行うようなＲＦＩＤ技術が利用されつつある。例えば、ＲＦＩＤタグを郵便物等の流通物に設け、そのＲＦＩＤタグに記憶された識別情報に基づいて流通過程における管理を行うことが提案されている。
【０００３】
一般に、この種の管理に用いられるＲＦＩＤ読取装置としては、収納ケースにＲＦＩＤタグの付いた書留郵便物を数十個積載し、１個ずつ読み取り処理を行う場合に比べてＲＦＩＤ読取装置のアンテナ出力を大きくして、収納ケース内の全ての書留郵便物に設けたＲＦＩＤタグを一括で読取り処理を行う。しかしながら、ＲＦＩＤ読取装置のアンテナ出力が大きくなると、電波漏れが多くなり、ＲＦＩＤ読取装置付近にある余計なＲＦＩＤタグの情報も誤って読取ってしまうことがある。
【０００４】
この問題に対して、ＲＦＩＤタグの読み書きを行うときに、外部への電波の漏洩を防止することが可能なＲＦＩＤ読取装置が提案されている。このＲＦＩＤ読取装置は、内壁面にアンテナを備えた中空構造の装置本体と、シールド部材による蓋部を有する収納ケースとによって構成しており、収納ケースが装置本体に挿入されると、収納ケースの蓋部が装置本体の中空部の開口部を塞ぐ構造となっている（例えば、特許文献１参照。）。
【特許文献１】特開２００１―３１９１９１号公報
【発明の開示】
【発明が解決しようとする課題】
【０００５】
しかしながら、従来のＲＦＩＤ読取装置では、ＲＦＩＤタグの識別情報を読取るためには、ＲＦＩＤタグの付いた流通物を収納ケースに収納し、さらに収納ケースをＲＦＩＤ読取装置の中空部内に搬入して開口部を封じるという行為が必要となり、流通物のハンドリングが損なわれ、作業効率が悪くなる。
【０００６】
従って、本発明は、ハンドリングを損なわず、作業効率を向上するＲＦＩＤ読取装置およびＲＦＩＤ読取装置の電波出力制御方法を提供することを目的とする。
【課題を解決するための手段】
【０００７】
識別情報を記憶したＲＦＩＤタグが設けられた流通物を載置する載置台と、
アンテナを備えた面が前記載置台に垂直に取付けられ、前記アンテナを介して前記流通物のＲＦＩＤタグとの間で電波の送受信し、前記流通物のＲＦＩＤタグから識別情報を無線方式で読取るＲＦＩＤ読取装置本体と、
前記載置台に取付けられ、前記アンテナを備えた面と対向する第１の側板と前記第１の側板から直交して前記ＲＦＩＤ読取装置本体の端部まで延びる第２の側板とを有するＬ字状の電波を遮蔽するシールド部材とを備え、
前記載置台、前記ＲＦＩＤ読取装置本体および前記シールド部材により、上下、左右、および前後の六面のうち、上方、および前方の面が開放された前記流通物の載置領域を構成していることを特徴とするＲＦＩＤ読取装置。
【発明の効果】
【０００８】
本発明によれば、ハンドリングを損なわず、作業効率を改善したＲＦＩＤ読取装置およびＲＦＩＤ読取装置の電波出力制御方法を提供することができる。
【発明を実施するための最良の形態】
【０００９】
以下、本発明の実施例について図面を参照して説明する。
（第１の実施形態）
【００１０】
図１は、本発明に係る第１の実施形態のＲＦＩＤ読取装置を概略的に示す斜視図である。
【００１１】
ＲＦＩＤ読取装置１は、ＲＦＩＤタグ２が取付けられた流通物３を載せる載置台４と、流通物３のＲＦＩＤタグ２の識別情報を読取るＲＦＩＤ読取装置本体５と、シールド部材６で構成されている。
【００１２】
載置台４は、上面が平坦な矩形状、例えば四角形状の板状構造に構成されている。
【００１３】
ＲＦＩＤ読取装置本体５は、四角形状の筐体を有し、筐体の側面側に電波を送受信するためのアンテナ７が設けられている。また、筐体内部にはＲＦＩＤタグ２の識別情報を読取るための電子回路部品が内蔵され、筐体前面には読取スイッチ８が設けられている。そして、このＲＦＩＤ読取装置本体５は、アンテナ７をＲＦＩＤ読取装置１の内側にして、載置台４の一端部上に縦置きに取付けられている。したがって、アンテナ７からの送信波は、主に載置台４の上面に沿ってアンテナ７の前方に放射され、アンテナ７の横方向および上方向には余り放出されない。
【００１４】
シールド部材６は、第１側板９とこの第１側坂と直交方向に延びる第２側板１０とを有するＬ字状をなし、その第１側板９はＲＦＩＤ読取装置本体５のアンテナ７と対向して、ＲＦＩＤ読取装置本体５が取付けられた載置台４の端部と反対側の端部上面に縦置きに取付けられ、また第２側板１０はＲＦＩＤ読取装置本体５の端部と第１側板９の端部との間の空隙を塞ぐように載置台４の上に縦置きに取付けられている。
【００１５】
シールド部材６の第１側版９は、アンテナ７からの送信波がＲＦＩＤ読取装置１外へ漏洩、およびＲＦＩＤ読取装置１外の流通物３のＲＦＩＤタグ２からの送信波の進入を遮断する機能を有し、第２側坂１０は、第１側板９と同様に送信波の漏洩、および進入を遮断する機能の他に、流通物３が載置台４を積載する際の位置決めためのストッパーとしての機能を有する。
【００１６】
なお、シールド部材６は必ずしも載置台４の上面に取付ける必要はなく、例えば、図２に示すように載置台４の側面に取付けてもよい。
【００１７】
そして、このシールド部材６、載置台４およびＲＦＩＤ読取装置本体５によりＲＦＩＤ読取装置１の前後、左右、上下の六方の内、上方と前方が開放された流通物の載置領域１２が構成され、流通物３は上方、前方、または斜め上方から流通物の載置領域１２内に積載される。
【００１８】
また、このシールド部材６によってＲＦＩＤ読取装置本体５から外部への送信波を遮蔽、もしくはＲＦＩＤ読取装置１外の流通物３のＲＦＩＤタグからの受信波を遮蔽し、ＲＦＩＤ読取装置１付近に載置された流通物３のＲＦＩＤタグの読取を防ぐことができ、流通物の載置領域１２内に積載された流通物３のＲＦＩＤタグ２の識別情報を正確に読取ることができる。
【００１９】
ここで、シールド部材６としては、電波（送信波）を遮断する材質で構成されてなり、例えばＥＭＩ対策で利用される抵抗皮膜、ゴムおよびカーボンの複合材、カーボンを付着させた繊維、発泡スチロール、発泡ウレタンなどの電波吸収材、またはアルミニウムや銅のような金属材などの電波反射材が用いられる。
【００２０】
図３は、ＲＦＩＤ読取装置本体５の電子回路部品およびＲＦＩＤタグ２の回路構成を示すブロック図である。
【００２１】
ＲＦＩＤ読取装置本体５の電子回路部品は、ＲＦＩＤ読取装置１の外部に設けられるＰＣとのインターフェースとして機能するインターフェース部１３、ＣＰＵやメモリ等で構成される制御部１４、制御部１４からのＲＦＩＤタグ２への送信情報を変調する変調部１５、変調部１５からの変調電波を増幅してアンテナ部１７から電波を送信させるための出力部１６、アンテナ部１７で受信した電波を増幅する増幅部１８および増幅された受信電波を復調して制御部１４に送信する復調部１９等を備えている。
【００２２】
ＲＦＩＤタグ２は、タグアンテナ２０と、タグアンテナ２０で受信した変調電波の整流を行うことにより各回路部に電源を供給する電源生成部２１、変調電波を復調して制御部２２へ送信する復調部２３、制御部２２から送信された情報を変調してタグアンテナ２０に送信する変調部２４、識別情報などを記憶する記憶部２５、復調部２３で復調された情報が所定の読取コマンドであるとき、記憶部２５から識別情報を読出して変調部２４へ送信する制御部２２等を備えている。
【００２３】
次に、本実施の形態のＲＦＩＤ読取装置の動作について図１および図３を参照して簡単に説明する。
【００２４】
まず、図１に示すように、郵便封筒等の流通物３を、ＲＦＩＤタグ２をＲＦＩＤ読取装置本体５のアンテナ７側に向けて郵便封筒等の流通物３を流通物の載置領域１２内の載置台４上に数十個、例えば３０個、横置きに積載する。流通物３の積載は、ＲＦＩＤ読取装置１の上方、前方、または斜め上方から流通物３を束にして載置するか、もしくは、個々に載置する。この流通物３の積載においては、流通物３はシールド部材６の第２側板１０のストッパー機能により端部が揃えられて載置される。
【００２５】
続いて、ＰＣを操作して、もしくはＲＦＩＤ読取装置本体５に設けられた読取開始スイッチ８を操作して、ＲＦＩＤ読取装置本体５を駆動して読取動作を開始させる。ＲＦＩＤ読取装置本体５では、ＰＣからの所定の読取コマンドがインターフェース部１３を介して制御部１４に送信され、制御部１４から送信された所定の読取コマンドを変調部１５で電波に変調して出力部１６を介してアンテナ部１７から送信され、このアンテナ部１７から放射された電波は、流通物の載置領域１２内の各ＲＦＩＤタグ２に送信される。
【００２６】
一方、シールド部材６に達した電波は、このシールド部材６で吸収、もしくは反射されてＲＦＩＤ読取装置１から外への漏洩が阻止される。また、ＲＦＩＤ読取装置１の近傍に置かれた読取対象外の流通物３におけるＲＦＩＤタグ２の読取を防ぐことができる。
【００２７】
流通物の載置領域１２内のＲＦＩＤタグ２では、アンテナ部１７からの送信波をタグアンテナ２０で受信すると、電源生成部２１から各回路部に電源が供給され、記憶部２５に記憶された識別情報が制御部２２に読出される。制御部２２に読み出された識別情報が変調部２４に送られ、タグアンテナ２０を介して送信される。この流通物３のＲＦＩＤタグ２からの電波をＲＦＩＤ読取装置本体５のアンテナ部１７で受信し、制御部１４、インターフェース部１３を介してＰＣに取り込まれる。
【００２８】
読取りが終了すると、流通物３をＲＦＩＤ読取装置１より取り出し、新たな流通物３の読取り作業を続けるか終了するか選択する。このようにして、ＲＦＩＤ読取装置１の流通物の載置領域１２内にあるＲＦＩＤタグ２の識別情報の読み取りが行われる。
【００２９】
上記第１の実施の形態のＲＦＩＤ読取装置によると、ＲＦＩＤ読取装置１の上方と前方は開いているため流通物３の載置台４への積載作業、および流通物３のＲＦＩＤ読取装置１からの取り出し作業のハンドリングが良く、作業効率は向上する。また、シールド６により、ＲＦＩＤ読取装置１外の流通物３のＲＦＩＤタグ２の読取を防ぐことができるため、読取精度が向上する。
（第１の実施の形態の変形例）
【００３０】
図４は、第１の実施の形態に係るＲＦＩＤ読取装置における載置台の変形例を示す概略図である。図４（ａ）の載置台４では、流通物３の載置面（上面）２６に、前端部から後端部に向かって延びるＵ字型凹部２７を備え、最下層の流通物３の下方、すなわち載置台４の載置面２６との間に隙間を設けて載置台から流通物３を取り出し易くしている。
【００３１】
また、図４（ｂ）の載置台４では、前端部から後端部に向かって切欠したＵ字型切欠部２８を備え、最下層の流通物３の下方に隙間を設けて載置台から流通物３を取り出し易くしている。
【００３２】
また、図４（ｃ）の載置台４では、流通物３の載置面２６の前端部近傍に、後端部方向に傾斜した凸部２９を備え、最下層の流通物３の下方、すなわち載置台４の載置面２６との間に隙間を設けて載置台から流通物３を取り出し易くしている。この凸部２９は上下に移動もしくは回動するものであっても良く、平担を有する構造であっても良い。ＲＦＩＤ読取装置として何ら支障はない。
【００３３】
上記第１の実施形態の変形例のＲＦＩＤ読取装置によれば、最下層の流通物３の下方に隙間を設けることにより流通物３を流通物の載置領域１２からを取り除く場合に流通物３を掴み易い。従って、上記第１の実施の形態のＲＦＩＤ読取装置に比べてハンドリングの効率がより向上する。
（第２の実施形態）
【００３４】
次に、本発明に係る第２の実施形態のＲＦＩＤ読取装置について説明する。
図５は本発明に係る第２の実施形態のＲＦＩＤ読取装置の分解斜視図である。なお、上記第１の実施の形態と同一部分には同一符号を付して詳細な説明は省略する。本実施の形態のＲＦＩＤ読取装置は、数十個の流通物を一括して読取る場合の他に、流通物収納領域を超える大きさの流通物を個々に読取ることができるようにしたものである。
【００３５】
ＲＦＩＤ読取装置３０は、ＲＦＩＤタグ２が取付けられた流通物３を載せる載置台３１と、流通物３のＲＦＩＤタグ２の識別情報を読取るＲＦＩＤ読取装置本体３４と、シールド部材６で構成されている。
【００３６】
載置台３１は、上面が平坦な矩形状、例えば四角形状の板状構造に構成されており、載置台３１の左端部（図面上の左側の端部）には、ＲＦＩＤ読取装置本体３４の下端部を嵌合するためのスリット状の第１の溝３２が穿設され、載置台３１の右端部（同、右側の端部）および後端部（同、後側の端部）には両端部に跨ってシールド部材６の下端部を嵌合するためのＬ字状の第２の溝３３が穿設されている。この第２の溝３３はシール部材６の第１側板９が嵌合される溝部分３３ａと第２側板１０が嵌合される溝部分３３ｂとを有する。
【００３７】
載置台３１の第１の溝３２の底部には、後述のシールド検知センサ３６からの信号をＲＦＩＤ読取装置本３４へ伝えるためのコネクタ３７が設けられている。
また、第２の溝３３のうちの第１側板９が嵌合される溝部分３３ａの内側面には、シールド部材６の有無を検知するシールド検知手段としてのシールド検知センサ３６が設けられ、コネクタ３７と電気的に接続されている。なお、シールド検知センサ３６は第１側板９が嵌合される溝部分３３ａに限らず、第２側板１０が嵌合される溝部分３３ｂにも設けても良い。このシールド検知センサ３６としては、例えば、光センサや単純な電気的スイッチ等が用いられる。
【００３８】
ＲＦＩＤ読取装置本体３４は、四角形状の筐体を有し、筐体の側面側に電波を送受信するためのアンテナ７が設けられ、筐体内部にはＲＦＩＤタグ２の識別情報を読取るための電子回路部品が内蔵され、筐体の下端部底面にコネクタ３７に係合する伝達手段としての接続端子３５が設けられている。このＲＦＩＤ読取装置本体３４は、アンテナ７をＲＦＩＤ読取装置１の内側にして、下端部を載置台３１の第１の溝３２に嵌合することにより、載置台３１に着脱自在に支持される。ＲＦＩＤ読取装置本体３４の接続端子３５はＲＦＩＤ読取装置本体３４の下端部を載置台３１の第１の溝３２に嵌合すると自動的にコネクタ３７に係合される。
【００３９】
シールド部材６は、第１側板９とこの第１側坂と直交方向に延びる第２側板１０とを有し、その第１側板９をＲＦＩＤ読取装置本体３４のアンテナ７と対向して、第２の溝部分３３ａに嵌合し、また第２側板１０を第２の溝部分３３ｂに嵌合することにより、載置台３１に着脱自在に支持される。
【００４０】
図６は、本発明に係る第２の実施の形態のＲＦＩＤ読取装置３０の要部構成を示すブロック図である。上記第１の実施の形態のＲＦＩＤ読取装置と同一部分には同一符号を付し、詳細な説明は省略する。ここでは、流通物３のＲＦＩＤタグ２のブロック図は第１の実施形態と同一であり、図示は省略する。
【００４１】
図６に示すように、ＲＦＩＤ読取装置３０は、シールド検知センサ３６、シールド検知センサ３６からの信号をＲＦＩＤ読取装置本体３４の制御部３８へ伝えるためのコネクタ３７、受信したシールド検知センサ３６からの信号に基づき出力部３９を制御するとともに、ＲＦＩＤタグ２への送信情報を変調部１５へ送信する制御部３８、制御部３８からの信号に基づきアンテナ部１７から送信する変調電波の出力を調整する出力部３９を備えている。
【００４２】
図７は、シールドを検知してＲＦＩＤ読取装置本体の出力を調整する処理の流れを示すフローチャートである。まず、ステップ１（以下単に「Ｓ１」と記載）において、ＰＣを操作して基本設定を行う。すなわち、例えば、３０個のＲＦＩＤタグを一括で読み取るのに必要な高出力と、ＲＦＩＤタグを１つ読み取るのに必要な低出力の設定を行う。
【００４３】
次に、シールド検知センサ３６によってシールド部材６の有無を検知する（Ｓ２）。シールド部材６が載置台４に取付けられている場合には、制御部３８からの「有」の信号に基づき出力部３９の出力をステップ１で設定した高出力に調整し（Ｓ３）、シールド部材６が載置台３１に取付けられていない場合には、制御部３８からの「無」の信号に基づき出力部３９の出力をステップ１で設定した低出力に調整する（Ｓ４）。
【００４４】
以下に、本実施の形態のＲＦＩＤ読取装置の動作を簡単に説明する。
まず、複数の流通物３を一括で読取りたい場合には、シールド部材６を載置台３１の第２の溝３３に取付ける。シールド検知センサ３６はシールド部材６が取付けられていることを検知し、コネクタ３７を介して信号を制御部３８へ送信する。制御部３８はＲＦＩＤタグ２への送信情報を変調部１５へ送信するとともに、シールド検知センサ３６からの信号を受信すると、予め設定しておいた、複数のＲＦＩＤタグを一括で読取れるだけの出力になるよう制御信号を出力部３９へ送信する。出力部３９は、制御部３８からの制御信号に基づき出力を調整し、変調部１５からの変調電波を増幅してアンテナ部１７から送信させる。以降の動作は第１の実施の形態と同様であるので説明は省略する。
【００４５】
一方、流通物３を個々に読取る場合、例えば、流通物３が大きすぎて、載置台３１にシールド部材６を取付けた状態ではＲＦＩＤタグの読取りができない場合には、シールド部材６を載置台３１より取り外す。シールド検知センサ３６はシールド部材６が載置台３１に取付けられていないので、「シールド無」という情報を、コネクタ３７を介して制御部３８へ送信する。制御部３８は、シールド検知センサ３６からの信号を受信すると、ＲＦＩＤタグ２への送信情報を変調部１５へ送信するとともに、予め設定しておいたＲＦＩＤタグを個々に読取るのに必要な低出力になるよう制御信号を出力部３９へ送信する。出力部３９は、制御部３８からの制御信号に基づき出力を小さく調整し、変調部１５からの変調電波を増幅してアンテナ部１７から送信させる。以降の動作は第１の実施の形態と同様出るので説明は省略する。
【００４６】
なお、ここでは、シールド部材６が載置台３１に取り付けられていない場合、シールド検知センサ３６から「シールドの有無」の信号を送信するとしたが、これに限定されるものではなく、信号を送信しないことで「シールド無」と判断するようにしても良い。
【００４７】
上記第２の実施の形態のＲＦＩＤ読取装置では、複数のＲＦＩＤタグ２を一括で読取る場合には、アンテナ出力を高くするとともに、シールド部材６を載置台３１に取付けることにより、ＲＦＩＤ読取装置１外の流通物３のＲＦＩＤタグ２の読取りを防ぐことができるため読取精度が向上する。
【００４８】
一方、流通物が大きく、シールド部材６を載置台３１に取付けた状態ではＲＦＩＤタグ２の読取りができない場合には、シールド部材６を載置台３１から取り外すとともにアンテナ出力を低くすることによりＲＦＩＤ読取装置の近傍に置かれている読取り対象外のＲＦＩＤタグの読取りを防止している。
【００４９】
従って、シールド部材６の着脱により、複数のＲＦＩＤタグの一括読取り、ＲＦＩＤタグの個々の読取りのいずれも可能であり、多様な流通物の読取りが可能となる。しかも載置台３１からのシールド部材６の着脱に連動してアンテナ出力の制御を行うのため、読取りの作業効率が良い。また、複数のＲＦＩＤタグの一括読取りの場合にはシールド部材によりＩＲＦＩＤ読取装置外部への電波漏れを防止し、ＲＦＩＤタグを個々に読取る場合にはアンテナの出力を低くして読取り対象外のＲＦＩＤタグを読取らないようにしているため、ＲＦＩＤタグの識別情報を精度良く読取ることができる。
（第３の実施の形態）
【００５０】
図８は、本発明に係る第３の実施の形態のＲＦＩＤ読取装置を示す概略図である。なお、上記の第２の実施の形態のＲＦＩＤ読取装置と同一部分には同一符号を付して説明を省略する。
【００５１】
本実施の形態のＲＦＩＤ読取装置４０では、シールド４２は第１側板４３と第２側板４４とが互いに分離されており、この第１側板４３と第２側板４４とは、回動式留め具、例えばヒンジ４５によって回動可能に設けられている。シールド部材４２の第２側板４４は載置台４１の後端面にネジ等により固定され、第１側板４３は載置台４１の右側面と接離、すなわち着脱するようなっている。
【００５２】
載置台４１の右側面には、シールド検知センサ４７と磁石等の留め具４６が設けられており、シールド部材４２の第１側板４３が留め具４６により載置台４１の右側面に一時的に固定され、シールド検知センサ４７により第１側板４３の載置台４１との接離状態を検知する。このシールド検知センサ４７には、上記第２の実施の形態のＲＦＩＤ読取装置と同様に、光センサ、電気的なスイッチ等が用いられる。
【００５３】
また、載置台４１の左端部には、スリット状の第１の溝３２が設けられ、この第１の溝３２の底面には上記第２の実施の形態のＲＦＩＤ読取装置３４における接続端子３５（図示略）と系合するコネクタ３７（図示略）が設けられており、このコネクタ３７とシールド検知センサ４７とは電気的に接続されている。
【００５４】
ＲＦＩＤ読取装置本体３４は、上記第２の実施の形態のＲＦＩＤ読取装置本体と同様の構成を有し、下端部が載置台４１の左端部に設けられたスリット状の第１の溝３２に嵌合されて載置台４１に支持されるとともに、接続端子３５（図示略）がコネクタ３７に係合している。
【００５５】
この実施の形態のＲＦＩＤ読取装置では、複数のＲＦＩＤタグを一括で読み取る場合には、第１側板４３を留め具４６で載置台４１に一時的に固定して読取りを行う。一方、流通物の載置領域を超える大きさの流通物を個々に読取る場合には、第１側板４３を開き、載置台４１より離して読取りを行う。
【００５６】
なお、その他の構成や動作の説明は、上記第２の実施の形態のＰＤＩＦ読取装置と同様であるので省略する。
【００５７】
上記第３の実施の形態のＲＦＩＤ読取装置では、上記第２の実施の形態のＲＦＩＤ読取装置と同様に、複数のＲＦＩＤタグを一括で読取る場合には、アンテナ出力を高くするとともに、シールド部材４２の第１側板４３を載置台４１に取付け、また流通物が大きく、シールド部材４２を載置台４１に取付けた状態ではＲＦＩＤタグ２の読取りができない場合には、シールド部材４２の第１側板４３を載置台４１から離すとともにアンテナ出力を低くすることにより、複数のＲＦＩＤタグの一括読取り、ＲＦＩＤタグの個々の読取りのいずれも可能であり、多様な流通物の読取りが可能となる。しかも、載置台４１からのシールド部材４２の接離状態に連動してアンテナ出力の制御を行うため、読取りの作業効率が良い。
【００５８】
また、複数のＲＦＩＤタグの一括読取り、およびＲＦＩＤタグを個々に読取る場合のいずれの場合にも、読取り対象外のＲＦＩＤタグを読取らないようにしているため、ＲＦＩＤタグの識別情報を精度良く読取ることができる。
【００５９】
更に、複数のＲＦＩＤタグの一括読取り、およびＲＦＩＤタグを個々に読取る場合、載置台４１にシールド部材４２の第１側板４３を接離させるだけで良く、ハンドリングの効率を向上できる。
【００６０】
なお、本発明は上記の実施の形態に限定されるものではなく、その要旨を逸脱しない範囲で、種々、変形して実施しても良く、また、上記実施の形態を適宜、組み合わせて実施しても良い。
【図面の簡単な説明】
【００６１】
【図１】本発明に係る第１の実施の形態のＲＦＩＤ読取装置を概略的に示す斜視図。
【図２】本発明に係る第１の実施の形態のＲＦＩＤ読取装置の変形例を概略的に示す斜視図。
【図３】本発明に係る第１の実施の形態のＲＦＩＤ読取装置およびＲＦＩＤタグの要部構成を示すブロック図。
【図４】本発明に係る第１の実施の形態のＲＦＩＤ読取装置における載置台の変形例を示す斜視図。本体とＲＦＩＤタグの要部構成を示すブロック図。
【図５】本発明に係る第２の実施の形態のＲＦＩＤ読取装置を概略的に示す分解斜視図。
【図６】本発明に係る第２の実施の形態のＲＦＩＤ読取装置の要部構成を示すブロック図。
【図７】本発明に係る第２の実施の形態のＲＦＩＤ読取装置におけるアンテナ出力の調整を示すフローチャート。
【図８】本発明に係る第３の実施の形態のＲＦＩＤ読取装置の概略的に示す斜視図。
【符号の説明】
【００６２】
１、３０、４０  ＲＦＩＤ読取装置
２  ＲＦＩＤタグ
３  流通物
４、３１、４１  載置台
５、３４  ＲＦＩＤ読取装置本体
６、１１、４２  シールド部材
７  アンテナ
８  読取開始スイッチ（指示手段）
９、４３  第１側板
１０、４４  第２側板
１２  流通物の載置領域
１４、３８  制御部
２６  載置面
２７  Ｕ字型凹部
２８  Ｕ字型切込み部
２９  凸部
３２  第１の溝
３３  第２の溝
３５  接続端子（伝達手段）
３６、４７  シールド検知センサ
３７  コネクタ
４５  ヒンジ（回動式留め具）
４６  留め具
【図１】
2008084058.tif 000003
【図２】
2008084058.tif 000004
【図３】
2008084058.tif 000005
【図４】
2008084058.tif 000006
【図５】
2008084058.tif 000007
【図６】
2008084058.tif 000008
【図７】
2008084058.tif 000009
【図８】
2008084058.tif 000010